(57)【特許請求の範囲】
【請求項１】
女性の身体の外部皮膚に接触する電極対と、その電極対間の生体電気インピーダンスを測定するためのインピーダンス測定手段と、該測定された生体電気インピーダンス値を記憶するためのインピーダンス記憶手段とを備え、
前記インピーダンス記憶手段に記憶された生体電気インピーダンス値の推移から排卵を判定する排卵判定手段、又は前記インピーダンス記憶手段に記憶された生体電気インピーダンス値の推移から推定される次回の月経開始予測日から遡って排卵日を予測する排卵日予測手段を有し、
排卵が判定されてから又は予測される排卵日からの生体電気インピーダンスの低値期の継続日数に基づいて妊娠の可能性を判定する妊娠判定手段と、判定された結果を報知する報知手段とからなる妊娠判定装置。
【請求項２】
前記インピーダンス記憶手段に記憶された生体電気インピーダンス値の推移から、婦人の月周期で現れる月経に伴う体調の変化に応じた現在の体調を判定する体調判定手段を更に備え、前記報知手段は判定された現在の体調も報知する請求項１に記載の妊娠判定装置。
【請求項３】
前記妊娠判定手段は、排卵が判定されてから又は予測される排卵日からの生体電気インピーダンスの低値期の継続日数が２１日を経過した場合に、妊娠の可能性があると判定する請求項１または請求項２に記載の妊娠判定装置。
【請求項４】
前記妊娠判定手段は、排卵が判定されてから又は予測される排卵日からの生体電気インピーダンスの低値期の継続日数に応じて、前記報知手段から報知する妊娠の可能性に関する情報を変更する請求項１または請求項２に記載の妊娠判定装置。
【請求項５】
前記妊娠判定手段は、排卵が判定されてから又は予測される排卵日からの生体電気インピーダンスの低値期の継続日数に基づいて、前記報知手段から報知する妊娠の可能性を表す数値を算出する請求項１または請求項２に記載の妊娠判定装置。
【請求項６】
前記排卵判定手段が排卵を判定してから、又は前記排卵日予測手段が予測する排卵日から現在までの経過日数も、前記報知手段は報知する請求項１または請求項２に記載の妊娠判定装置。
【請求項７】
前記体調判定手段は、妊娠可能な体調であるかも判定する請求項２に記載の妊娠判定装置。
【発明の詳細な説明】
【０００１】
【発明の属する技術分野】
本発明は、婦人の妊娠の可能性を判定するための方法及び装置に関するものである。
【０００２】
【従来の技術】
従来、家庭で妊娠の可能性を調べる最も手軽な方法としては、婦人用体温計が用いられてきた。図１は月経の周期が２８日の人の基礎体温の変化を示す図であり、婦人の月周期で現れる体調は基礎体温と密接な関係を有している。正常な排卵であれば図１の（ａ）線のように、排卵日を境に基礎体温は、低温期から高温期に推移し、月経開始日を境に低温期から高温期に徐々に推移するという二相性を示すことが知られている。無排卵の場合には図１の（ｂ）線のように、特別な特徴は現れず二相性も示さない。またの黄体機能不全の場合には図１の（ｃ）線のように高温期が１０日未満と正常な場合に比べ極端に短くなる。このように女性の性周期に基づく体調の変化は基礎体温に反映され、この基礎体温は図２の（ａ）線に示すように妊娠の有無によっても変化が異なる。妊娠が起きていない場合には基礎体温は点線で示すよう、排卵後の高温期から月経前に徐々に低温期へ推移していく。一方、妊娠した場合には実線で示すように、予定の月経期間もそのまま高温期が続くこととなる。この特徴を利用して妊娠の可能性を判定していた。
【０００３】
あるいは尿を採取し試験紙を用いて尿中ホルモンを調べることで、妊娠の可能性を判定する方法も行われている。
【０００４】
【発明が解決しようとする課題】
従来の婦人用体温計を用いて妊娠を判定する方法は、測定条件が厳しく、毎日起床時に横臥位の静止した状態で数分間程度、口中に体温計を含み基礎体温を測定しなければならず非常に面倒であり、被測定者が再び眠ってしまい寝過ごしてしまう原因にもなっている。
【０００５】
また尿を採取する方法は、被測定者の心理的負担があるだけでなく、衛生的にも好ましくない。また使い捨ての試験紙を用いるため、その時限りの測定に終わり、何度か確かめる場合にはその度に試験紙を購入するため経済的負担も大きかった。
【０００６】
本発明は、このような問題点に鑑みてなされたものであり、簡単な測定で婦人の妊娠の可能性を判定する装置を提供することである。
【０００９】
【課題を解決するための手段】
本発明の妊娠判定装置は、女性の身体の外部皮膚に接触する電極対と、その電極対間の生体電気インピーダンスを測定するためのインピーダンス測定手段と、該測定された生体電気インピーダンス値を記憶するためのインピーダンス記憶手段と、前記インピーダンス測定手段において測定された生体電気インピーダンス値とを備え、前記インピーダンス記憶手段に記憶された生体電気インピーダンス値の推移から排卵を判定する排卵判定手段、又は前記インピーダンス記憶手段に記憶された生体電気インピーダンス値の推移から推定される次回の月経開始予測日から遡って排卵日を予測する排卵日予測手段を有し、排卵が判定されてから又は予測される排卵日からの生体電気インピーダンスの低値期の継続日数に基づいて妊娠の可能性を判定する妊娠判定手段と、判定された結果を報知する報知手段とからなる。
【００１０】
また、本発明の妊娠判定装置では、前記インピーダンス記憶手段に記憶された生体電気インピーダンス値の推移から、婦人の月周期で現れる月経に伴う体調の変化に応じた現在の体調を判定する体調判定手段を更に備え、前記報知手段は判定された現在の体調も報知する請求項３に記載の妊娠判定装置。
【００１１】
また、本発明の妊娠判定装置では、前記妊娠判定手段は、排卵が判定されてから又は予測される排卵日からの生体電気インピーダンスの低値期の継続日数が２１日を経過した場合に、妊娠の可能性があると判定する。
【００１２】
また、本発明の妊娠判定装置では、前記妊娠判定手段は、排卵が判定されてから又は予測される排卵日からの生体電気インピーダンスの低値期の継続日数に応じて、前記報知手段から報知する妊娠の可能性に関する情報を変更する。
【００１３】
また、本発明の妊娠判定装置では、前記妊娠判定手段は、排卵が判定されてから又は予測される排卵日からの生体電気インピーダンスの低値期の継続日数に基づいて、前記報知手段から報知する妊娠の可能性を表す数値を算出する。
【００１４】
また、本発明の妊娠判定装置では、前記排卵判定手段が排卵を判定してから、又は前記排卵日予測手段が予測する排卵日から現在までの経過日数も、前記報知手段は報知する。
【００１５】
また、本発明の妊娠判定装置では、前記体調判定手段は、妊娠可能な体調であるかも判定する。
【００１６】
【発明の実施の形態】
女性の身体は排卵後、その卵が受精しなかった場合には一定期間（通常はほぼ１４日）を経過すると、受精能力の無くなった卵を排出する月経が起こり体温は低下する。もしくはホルモンバランスの乱れにより月経が起こらなくても体温が低下する。しかし卵が受精着床した際には体温の低下が起こらず高温状態が長期続くことから、通常、婦人用体温計では高温期が２１日以上継続した場合に妊娠の可能性があると判断する。
【００１７】
本願出願人は既に特願平１１−２５８３５８号の明細書において、生体電気インピーダンス（以下、ＢＩとする）測定を行うことで婦人の月周期で現れる体調を判断することが可能な装置について提案した。この装置では、ＢＩ値は基礎体温と密接な関係があり、基礎体温の低温期には高値を示し、高温期には低値を示す。またＢＩも図２の（ｂ）線に示すように妊娠の有無によって変化が異なる。妊娠が起きてない場合にはＢＩは点線で示すよう、排卵後の低値期から月経前に徐々に高値期へと推移していく。一方、妊娠した場合には体温の高温状態が長期続くため、実線で示すように月経中も低値が続くこととなる。
本発明ではこの特徴を利用し、ＢＩ値を継続的に測定し、ＢＩ値の低値期が一定期間以上継続した場合に妊娠の可能性があると判断する。
【００１８】
【実施例】
本発明の一実施例を図面に基づいて説明する。
図３は、本発明の実施例である妊娠判定装置の正面図である。図３に示す通り、妊娠判定装置１０は、体重計付き生体電気インピーダンス計２０と、この体重計付き生体電気インピーダンス計２０に電気ケーブル３０を介して接続された制御ボックス４０とから構成されている。本実施例では、体重計付き生体電気インピーダンス計２０と制御ボックス４０とは通常の電気ケーブル３０を介して相互に接続されているが、例えば赤外線や電磁波等による無線通信を介して接続されても良い。
【００１９】
体重計付き生体電気インピーダンス計２０の上面には、定電流印加用電極２１ａ、２１ｂ及び電圧測定用電極２２ａ、２２ｂが設けられており、また、制御ボックス４０の前面には、電源スイッチ４１ａ、測定キー４１ｂ、アップキー４１ｃ、ダウンキー４１ｄ、月経開始日キー４１ｅ、設定キー４１ｆといった一群の操作キー、及び、表示装置４２が設けられている。
【００２０】
図４は、図３に示した妊娠判定装置１０の機能構成を示すブロック図である。図４に示されるように、体重計付き生体電気インピーダンス計２０には、定電流印加用電極２１ａ、２１ｂと、定電流印加用電極２１ａ、２１ｂに印加される高周波の微弱な定電流を生成するための高周波定電流回路２３と、電圧測定用電極２２ａ、２２ｂと、電圧測定用電極２２ａ、２２ｂ間の電圧を測定するためのインピーダンス測定手段である電圧測定回路２４と、被判定者の体重を測定するための体重測定手段である体重測定装置２５と、測定された電圧及び体重をＡ／Ｄ変換するためのＡ／Ｄ変換器２８とが備えられている。
【００２１】
また、制御ボックス４０には、測定開始の指示や月経期間データの入力等のための一群の操作キー４１ａから４１ｆを含む入力手段であるデータ入力装置４１と、測定されたＢＩの推移や妊娠の可能性等を表示するための報知手段である表示装置４２と、測定日時等を計時するための時計装置４３と、測定されたＢＩや計時された測定日時および前日までの体調等を記憶しているインピーダンス記憶手段である記憶装置４４と、入力装置４１によって入力された月経期間データや測定されたＢＩ及び体重等のデータに基づいて婦人の月周期で現れる体調や妊娠の可能性を判定したり、記憶装置４４への各種データの記憶や表示装置４２への各種データの表示を制御したりするための演算制御手段であり、排卵判定手段、妊娠判定手段、体調判定手段、排卵日予想手段でもあるＣＰＵ４５とが備えられている。
【００２２】
本実施例では、各機能要素が上述のように体重計付き生体電気インピーダンス計２０と制御ボックス４０とに分離されているが、本発明はこれに限られず、例えばＣＰＵ４５は制御ボックス４０ではなく体重計付き生体電気インピーダンス計２０に備えられていても良く、また、体重計付き生体電気インピーダンス計１０と制御ボックス４０とが一体となった構成とされていても良い。
【００２３】
次に、上述したような実施例の妊娠判定装置の動作に関連させて、本発明による妊娠判定方法について詳述する。
【００２４】
図５は、本発明に係る婦人の月周期で現れる体調および妊娠の可能性を判定するための手順を示すフローチャートである。ステップ１では、被判定者は電源スイッチ４１ａを押下して妊娠判定装置１０の電源をオンにする。ステップ２では、被判定者が設定キー４１ｆを押下したならば、妊娠判定装置１０は設定モードとなってステップ３に移る。
【００２５】
ステップ３では、現在の日時設定となる。アップキー４１ｃ及びダウンキー４１ｄを用いて表示装置４２に表示される現在日時を変更していく。変更された値は、再度設定キー４１ｆを押下することで決定される。更に、前回の月経開始日も同様に入力する。
【００２６】
ステップ４では、被測定者が測定キー４１ｂを押下したならば、妊娠判定装置１０は測定モードとなってステップ５に移り、押下しなければ月経期間データ入力モードとなってステップ１６に移る。
【００２７】
ステップ５から、測定モードが始まる。被判定者が左足裏及び右足裏のつま先を定電流印加用電極２１ａ及び２１ｂにそれぞれ接触させ、また、左足裏及び右足裏のかかとを電圧測定用電極２２ａ、２２ｂにそれぞれ接触させて、体重計付き生体電気インピーダンス計２０に素足で乗ると、体重測定装置２５は重量を検知して被判定者の体重の測定を開始する。
【００２８】
続いて、ステップ６では、高周波定電流回路２３によって生成された高周波の微弱な定電流が、定電流印加用電極２１ａ及び２１ｂを介して被判定者のつま先に印加され、被判定者の下腹部を含む両足間に流される。そして、電圧測定回路２４によって電圧測定用電極２２ａ、２２ｂ間の電圧が測定され、ＢＩが測定される。
【００２９】
ステップ７では、ステップ６で測定されたＢＩが、次に示すような補正式に基づいて補正される。
補正式１  ：  体重補正ＢＩ＝ＢＩ＋Ａ×初回に測定された体重との差異
補正式２  ：  体重補正ＢＩ＝ＢＩ＋Ｂ×前回測定された体重との差異
つまり体重補正ＢＩは、ＢＩから体重の増減に伴うＢＩの増減を減算もしくは加算することにより得られるものであり、補正式１もしくは補正式２から算出される。ここで、Ａ及びＢは補正係数である。これにより、体重変化の影響が除去された体重補正ＢＩが算定される。
【００３０】
ステップ８では、記憶装置４４から前日まで数日間の補正ＢＩ値および前日の体調、月経開始日等のデータがＣＰＵ４５に読み込まれる。
【００３１】
ステップ９では、ＣＰＵ４５において、上述したようなＢＩと婦人の月周期で現れる体調との関係に基づいて、ステップ７で得られた今回測定された体重補正ＢＩとステップ８で記憶装置４４から読み込まれた前日まで数日間の測定された体重補正ＢＩおよび前日の体調、月経開始日データ等から被判定者が現在、どのような体調の期間であるか判定する。つまり第一の期間（月経期）、第二の期間（好調期）、第三の期間（維持期）、第四の期間（不調期）、及び第五の期間（妊娠可能期）の体調が判定される。
【００３２】
ここで、体調判定について説明する。但し、この判定例は月経周期が２８日周期の人の場合であり、月経周期は個人により異なるものであるので、各期間の日数は利用者の周期に応じて適宜変更していく。
【００３３】
図６は、ＢＩ値から各期間の判定方法を説明する図である。この場合、月経開始日から約７日間を第一の期間（月経期）とし、その次の日から、ＢＩ値が高値から低値に変化する日までを第二の期間（好調期）とし、ＢＩ値が低値に変化した日から約７日間を第三の期間（維持期）とし、その次の日から次の月経開始日までを第四の期間（不調期）とする。更にＢＩが高値から低値に変化する前後３日間を第五の期間（妊娠可能期）とする。このＢＩ値の変化の判定基準としては、過去の高ＢＩ期間における平均ＢＩ値の４％以上の低いＢＩ値が発生した時点で、高ＢＩ期間から低ＢＩ期間に変化したとする。
【００３４】
図６の被測定者の場合、高ＢＩ値期間の平均値は約５９０Ω、低ＢＩ値期間の平均値は約５６０Ωとなっている。従って５９０Ωの４％である２３．６Ω低い値の５６６．４Ω以下のＢＩ値が測定された時点で低ＢＩ値期間に推移したものとする。１５日目にその低ＢＩ値が現れたので、この日の前後３日間が妊娠可能期となる。
【００３５】
従って本発明の妊娠判定装置１０では、女性の月周期で現れる各期間を次のように判定する。
入力された月経開始日データの日にちを月経開始日とする。
月経開始日から一週間を第一の期間（月経期）とする。
その次の日から過去の第二の期間の平均ＢＩ値より４％低いＢＩ値が測定される前日までを第二の期間（好調期）とする。
その次の日から、過去のデータから推測される次の月経開始予定日の一週間前の日までを第三の期間（維持期）とする。
次の日から、次の月経開始日データが入力される日までを第四の期間（不調期）とする。
また、過去のデータに基づき、次回の月経開始予想日から遡って排卵日までの平均日数を求め、推定排卵日の前後３日間を第五の期間（妊娠可能期）とする。ここでは、月経開始予想日から１４日前を推定排卵日とする。但し、この第五の期間（妊娠可能期）は測定されたＢＩ値の高値期から低値期の変化を判定した時点で補正する。つまり、推定排卵日より早くこのＢＩ値の変化による排卵が判定された場合、その日から３日間を第五の期間（妊娠可能期）とする。逆に推定排卵日を過ぎてもＢＩ値の変化が生じない場合には、その間も継続的に第五の期間（妊娠可能期）とし、ＢＩ値の変化による排卵が判定されてから３日後までを第五の期間（妊娠可能期）とする。
【００３６】
以上のような判定方法に基づいて、被測定者が現在どの期間に該当するのか、特に妊娠可能な時期にあるのかを判断する。尚、この体調判定は、一周期分の過去の測定ＢＩ値が揃うことで判定が可能であり、そのデータが揃うまでは判定を行わない。
【００３７】
そして、ステップ１０から妊娠の可能性を判断する。ＣＰＵ４５はステップ９で判定された現在の体調の判定結果が第四の期間（不調期）であるかを判断する。これは第四の期間から次の第一の期間への変更は、後述するステップ１６からの月経開始日が入力されることにより行われる。この月経が起きた時点で妊娠の可能性は無くなるため、本発明の妊娠判定装置１０では、現在の体調が第四の期間で有る場合に妊娠の可能性を判断することとする。つまりＢＩ値の高値期から低値期への変化により排卵を判定し、月経開始予定日の一週間前から第四の期間となり、この日から次の月経開始日データが利用者に入力されるまで妊娠の可能性を判定し続けることとなる。
【００３８】
従って、ステップＳ１０で現在の体調が第四の期間（不調期）である場合には、ステップ１１において前回の排卵を判定した日から現在までの経過日数が一定期間以上であるかを判断する。ここでは１８日を一定期間の判定基準とする。１７日以下であれば発熱により若干低値期が長く続いているとも考えられるため、それまでは妊娠の判定は行わないものとする。
【００３９】
一定期間以上である場合にはステップ１２において妊娠の可能性を判定する。これは排卵日からの経過日数に基づき、妊娠の可能性を判定する。
ここでは排卵日からの経過日数が１８日〜２０日までを妊娠の可能性レベル１とし、２１日〜２５日までを妊娠の可能性レベル２とし、２５日以上を妊娠の可能性レベル３とする。
【００４０】
また、妊娠の可能性を示す数値はパーセンテージで示す。排卵日からの経過日数が１８日を２０％とし、その後１日長くなる毎に１０％上昇し、２１日が経過していた時点で妊娠の可能性を示す確率は５０％となる。その後は１日長くなる毎に１％上昇する。最大値を６０％とし、それ以上経過日数が長い場合にも６０％とする。
【００４１】
ステップ１３では、判定された体調や妊娠の可能性を表示装置４２に表示する。表示する体調の判定結果としては、例えば第一の期間には月経中、第二の期間には好調期間、第三の期間には排卵終了や体調維持期、第四の期間には月経前や不調期あるいはＰＭＳ期、第五の期間には妊娠可能期といった体調が表示される。
【００４２】
また、ステップ１０からステップ１２において妊娠の可能性を判定した場合には、妊娠の可能性レベルに応じて表示内容を変更する。
例えば、レベル１であれば「妊娠の可能性を示すデータが若干現れています。」といった、妊娠の可能性が気になる状況にあることを知らせるメッセージが表示される。
【００４３】
レベル２であれば「妊娠の可能性があります。一度、病院で調べることを薦めます。」と妊娠の可能性があるとし、病院で精密な検査を受けることを促すメッセージが表示される。
【００４４】
レベル３であれば「妊娠の可能性を示すデータが以前から継続して得られています。一度、病院で調べるべきです。」といった表示を行う。
更に、排卵が確認されてからの日数と妊娠の可能性を示す確率も「排卵日から現在まで２１日経過、妊娠の可能性５０％」といった表示がされる。
【００４５】
ステップ１４では、今回測定された体重補正ＢＩや体重及び測定日や体調等が記憶装置４４に記憶される。その後、ステップ１５で自動的に電源がオフにされ測定は終了する。
【００４６】
また、ステップ１６から、月経期間データ入力モードが始まる。被判定者は、アップキー４１ｃもしくはダウンキー４１ｄを押下することにより、表示装置４２に表示される所望の日付けを選択する。ステップ１７では、被判定者により月経開始日キー４１ｅが押下されたかが判断され、押下されている場合には、ステップ１８において、ステップ１６で選択された日付けが月経開始日として記憶装置４４に記憶される。一方、ステップ１７でキーが押下されていない場合には、ステップ１９で、被判定者により電源スイッチ４１ａが押下されたかが判断され、押下されている場合には、ステップ１５において電源がオフにされ、入力は終了する。
【００４７】
以上、本発明の一実施例を説明したが、ここでは妊娠の判定を排卵が判定されてからのＢＩ値の低値期が１８日継続した場合に、妊娠の可能性を判定したが、この日数に限らず変更してもよい。また、ＢＩ値の低値期の経過日数に応じて、表示する情報や妊娠の可能性を表す数値を変更する形態を示したが、ここで示した日数や情報の内容、妊娠の可能性を表す数値も変更することは可能である。
【００４８】
また、ここではＢＩ値が高値期から低値期に変化したことで排卵を判定しているが、これに限らず、前述の第五の期間（妊娠可能期）を設定するときと同様に、排卵日予想手段により過去のデータに基づき、次回の月経開始予想日から遡って排卵日までの平均日数を求め排卵日を推定し、この推定排卵日からＢＩ値の低値期の経過日数に基づいて、妊娠の可能性を判定する形態としてもよい。
【００４９】
また、妊娠の可能性レベルもここで示した日数でレベル分けすることに限定する必要はなく、そのレベル数も適宜変更することは可能である。
【００５０】
また、体調に基づく期間の分割も必ずしもここで示した形態に限ることなく数日異なっていたり、あるいは各期間が重なる日があっても構わない。
【００５１】
また、ここでは報知手段として表示装置を設け、直接妊娠の可能性に関する情報を表示装置に表示する形態を示したが、情報を絵や図形で表示したり、予め情報の一覧とランプを設け、判定手段により判定された内容に応じて適当な情報のランプを点灯させる形態でもよい。あるいは妊娠の可能性に関する情報を音声で報知する形態としてもよい。
【００５２】
尚、ここではＢＩ値と共に体重も測定し、体重の変化に応じてＢＩ値を補正し、補正したＢＩ値の推移に基づいて、妊娠の可能性や体調を判定するものを説明したが、必ずしも体重を測定しＢＩ値を補正する形態に限る必要はなく、
測定したＢＩ値を直接用いて、その推移により判定を行う形態としてもよい。
また、上述した実施例は両足間のＢＩを測定するようにされたものであるが両手間もしくは手足間のＢＩを測定するようにされたものであってもよい。
【００５３】
【発明の効果】
以上説明したように、本発明の妊娠判定装置では、簡単に測定可能なＢＩの推移に基づいて婦人の妊娠の可能性を判定するので、測定者への身体的な負担は軽く衛生的でもある。
また、本発明の妊娠判定装置であれば、婦人体温計のように毎日起床時に横臥位で測定する必要はなく、忙しい起床時に僅かな時間しか必要とせず寝過ごす心配もない。
【００５４】
また、本発明の妊娠判定装置であれば、ＢＩ値の推移から女性の月周期で現れる体調も判定可能であり、特に妊娠可能な期間も判定されるため、妊娠や避妊を計画的に行うことができ、その結果である妊娠の成否も簡単に判定することが可能である。
【図面の簡単な説明】
【図１】婦人の基礎体温の変化を示す図である。
【図２】婦人の月経周期と基礎体温および生体電気インピーダンス値の推移を示す図である。
【図３】本発明に係る妊娠判定装置の第一実施例の外部構成を示す正面図である。
【図４】図３に示した妊娠判定装置の機能構成を示すブロック図である。
【図５】本発明の実施例における妊娠判定装置の手順を示すフローチャートである。
【図６】本発明に係る婦人の月周期で現れる体調変化の判定例を示す図である。
【符号の説明】
１０    妊娠判定装置
２０    体重計付き生体電気インピーダンス計
２１ａ、２１ｂ  定電流印加用電極
２２ａ、２２ｂ  電圧測定用電極
２３    高周波定電流回路
２４    電圧測定回路
２５    体重測定装置
３０    電気ケーブル
４０    制御ボックス
４１    データ入力装置
４１ａ  電源スイッチ
４１ｂ  測定キー
４１ｃ  アップキー
４１ｄ  ダウンキー
４１ｅ  月経開始日キー
４１ｆ  設定キー
４２    表示装置
４３    時計装置
４４    記憶装置
４５    ＣＰＵ
【図１】
0003698307.tif 000002
【図２】
0003698307.tif 000003
【図３】
0003698307.tif 000004
【図４】
0003698307.tif 000005
【図５】
0003698307.tif 000006
【図６】
0003698307.tif 000007